Podtech/llm-jp-corpus-v4-ja_patent huggingface dataset:
(57)【要約】      （修正有）【課題】移動することが可能であり、何時でも利用できる様にトレーラーに搭載し、津波が襲来しても浮かんで救出される津波レスキューＢＯＸを提供する。【解決手段】移動できる津波シェルターとして設置し、津波が飛来しても津波の大きさに関係なく、浮かんで救出されるものである。該ＢＯＸは、トレーラーに搭載出来る様な６面体として、柱、桁及び合板を用いて骨組みを形成し、外側からガルバニウム鋼板、防火断熱材、防火合板、ウレタンフォーム、合板、ガルバニウム鋼板、コルク材にて構成する。その内部に水、食料など約一週間程度保管しておき、万一漂流しても生存できるようにしておく。津波レスキュートレーラーが浮かび流れ出る時、安定するように下部に台形の突起物に配慮している。【選択図】図１
0003181686.tif 000002
【実用新案登録請求の範囲】
【請求項１】
柱、桁及び合板を用いて形成されるとともに、外側からガルバニウム鋼板及びダイライト、その間にはネオマフォーム、その内側はウレタンフォーム及び合板で形成され、床、天井は合板、ウレタンフォームが設けられてなる津波レスキュートレーラーである。
【考案の詳細な説明】
【技術分野】
【０００１】
本考案は津波被害時用に関するものです。
【背景技術】
【０００２】
平成２３年３月１１日に発生した津波により、多くの犠牲が発生した。建築物が波に飲まれ、破壊され人やペットも流されてしまいました。高台に逃げることが大前提ですが、時間もない、襲来から脱出できず命や貴重品を失ってしまった。
【先行技術文献】
【特許文献】
【０００３】
【特許文献１】（非）特許文献
【考案の概要】
【考案が解決しようとする課題】
【０００４】
津波が発生し、襲来までに高台に避難するには、健常者以外の老人、幼児、障害者は時間がかかったり体力的に負担が大きい。外出していて、情報が遅れ津波の直前に知った場所など、平地に避難できる施設が近く若しくは建物に必要になる。
【課題を解決するための手段】
【０００５】
津波の高さが大きい地域においては建物避難ビルでは限界がある為、今回開発した津波レスキュートレーラーではいかなる津波にも対応できる利点がある。
【考案の効果】
【０００６】
上述のように、本考案の津波レスキュートレーラーは、トレーラーハウス、キャンピングカーとして利用し、津波発生時には即座に避難することができる。
【図面の簡単な説明】
【０００７】
【図１】津波レスキュートレーラーの立面図である。
【図２】津波レスキュートレーラーの上空図である。
【図３】津波レスキュートレーラーの平面図である。
【図４】津波レスキュートレーラーの立面図である。
【考案を実施するための形態】
【０００８】
実物大を作成し、実験を行う。
【実施例】
【０００９】
実物大を作成し、利便性、耐力性能、安全性、耐火性能、浮力性能、漂流への配慮
【産業上の利用可能性】
【００１０】
じょうきの実験結果に基づき安全を確認し、作成する。
【符号の説明】
【００１１】
１．筏本体
２．筏の柱、桁  ３８ｍｍ×１３５ｍｍ
３．合板  ｔ＝9
４．斜材  ３８ｍｍ×８９ｍｍ
５．ガルバニウム鋼板  ァ０．３５
ステンレスビス  ＠５０
６．ダイライト  ｔ＝９
７．ウレタンフォーム充填
８．ネオマフォームＦ（又は同等なる防火性のあるクッション材）ｔ＝３０
９．木製掘ごたつ
１０．船舶用開き窓
11．ガルウイング開口出入口
12．アブソーバー
13．換気孔  火災ダンパー付  ７５φ〜１００φ
14．ステンレスパイプ  ２５φ
【図１】
0003181686.tif 000003
【図２】
0003181686.tif 000004
【図３】
0003181686.tif 000005
【図４】
0003181686.tif 000006
【手続補正書】
【提出日】平成24年12月1日(2012.12.1)
【手続補正１】
【補正対象書類名】実用新案登録請求の範囲
【補正対象項目名】全文
【補正方法】変更
【補正の内容】
【実用新案登録請求の範囲】
【請求項１】
柱、桁及び合板を用いて形成される骨組とし、外側からガルバニウム鋼板、      防火断熱材、防火合板、ウレタンフォーム、合板、ガルバニウム鋼板、コルク材      にて構成された６面体なる津波レスキュートレーラー
(57)【要約】      （修正有）【課題】簡単便利な特徴をそのままに、海苔の味がご飯に吸収されないよう構成する事で、しっかり味が残り、味付けを濃くすることなく、健康面においても理想的な醤油味つき海苔の構造を提供する。【解決手段】食用海苔１の表・裏面に、それぞれごま油の層２を形成し、該食用海苔１のむすびに接するごま油の層２面に、多数の醤油の粉末３を振りかけ、該醤油の粉末３をごま油の層２でコーティングし、じかまき海苔むすびに使用する。【選択図】図２
0003181618.tif 000002
【実用新案登録請求の範囲】
【請求項１】
食用海苔（１）の表・裏面に、それぞれごま油の層（２）を形成し、該食用海苔（１）のむすび（Ｘ）に接するごま油の層（２）面に、多数の醤油の粉末（３）を振りかけ、該醤油の粉末（３）をごま油の層（２）でコーティングし、じかまき海苔むすびに使用する醤油味つき海苔の構造。
【考案の詳細な説明】
【技術分野】
【０００１】
この考案は、醤油味つき海苔の構造に関するものであり、特に、じかまき海苔むすびにおける海苔の構造に関するものである。
【背景技術】
【０００２】
従来、コンピニエンス・ストアやスーパー・マーケット等で大量に販売されているおむすびは、大きく２種類に分けられるものである。
【０００３】
即ち，その一つは、味付けした海苔をフィルムに挟み、予め、該フィルムで「おむすびご飯」をくるんでおき、食べる際に、そのフィルムをカット・除去し、食べる直前にのりをご飯に直接くるむタイプである。
【０００４】
この方法によると、海苔がご飯の水分を吸わず、そのパリパリとした食感が楽しめると同時に、海苔につけておいた味がご飯に吸収される事による味の変化（例えば、味が薄く感じられ、物足りない感じがする。）を防ぐことが出来るメリットはある。
【０００５】
しかし、食べる際、フィルムをカットし、剥がす手間がかかり、しかも、海苔がフィルムに挟まり、強く引っ張ると海苔が破れてしまい、子供や老人には、不便・面倒と感じるという欠点があった。
【０００６】
また、二つ目は、予め味付けした海苔で直接ご飯を包んでおき、それを単純にラップし、それを剥がせば、直ぐに食べられるようにした簡単便利型のタイプのものである。
【０００７】
しかし、これも上記のフィルムを挟んだ海苔を使う事に比べて、ご飯の水分により海苔のパリパリ感がなくなる事と、海苔がご飯に味を吸収されるため、海苔の味付けを強めにしなければならない等の欠点があった。
【０００８】
また、黒海苔に、醤油や砂糖を含む調味液を塗布した味付けした海苔は、従来より存在していた。例えば、特許文献１のように。
【先行技術文献】
【特許文献】
【０００９】
【特許文献１】特開２００２−１２５６３２号公報
【００１０】
しかし、このような海苔では、海苔に付けた味がむすびに吸収されてしまい、味付けをかなり濃くしないと美味しくなく、さらには、塩分を控える病人には向かないものであった。
【考案の概要】
【考案が解決しようとする課題】
【００１１】
そのため、この考案の課題は、簡単便利な特徴をそのままに、海苔の味がご飯に吸収されないよう構成する事で、しっかり味が残り、味付けを濃くすることなく、健康面においても理想的な醤油味つき海苔の構造を開発・提供することにある。
【課題を解決するための手段】
【００１２】
そこで、この考案は、上記の課題を解決すべく、醤油については、液状のものを用いず、粉末状とし、かつ、ごま油でコーティングして用いる醤油味つき海苔の構造を提供するものである。
【考案の効果】
【００１３】
この考案によると、粉末醤油を使用し、かつ、ごま油でコーティングするため、海苔に付けた醤油の味を遷移することなく、身体に優しい味付けができる等の極めて有益なる効果を奏するものである。
【００１４】
また、それに伴い、この考案の醤油味付け海苔で直接ご飯を包むことにより、フィルム等で、海苔とご飯とを分けて包装することなく、じか巻き用のおむすびが製造でき、フィルムをカットしたり、除去しておむすびを出す必要がなく、お子様やお年寄りにも、楽で手軽に利用が可能であるとの優れた効果も有する。
【図面の簡単な説明】
【００１５】
【図１】この考案の使用状態の一実施例を示す一部欠截正面図である。
【図２】この考案に使用する食用海苔の一実施例を示す一部欠截拡大断面図である。
【図３】この考案の製造工程の一実施例を示す説明図である。
【考案を実施するための形態】
【００１６】
以下、この考案について詳細に説明する。尚、この考案においては、以下の記述に限定されるものではなく、この考案の要旨を逸脱しない範囲においては適宜変更可能である。
【実施例】
【００１７】
そこで、この考案の一実施例を詳述すると、食用海苔（１）の表・裏面に、それぞれごま油の層（２）を形成し、該食用海苔（１）のむすび（Ｘ）に接するごま油の層（２）面に、多数の醤油の粉末（３）を振りかけ、該醤油の粉末（３）をごま油の層（２）でコーティングし、じかまき海苔むすびに使用する醤油味つき海苔の構造から構成される。
【００１８】
尚、この考案で食用海苔（１）とは、食用でシート状の黒海苔のことであり、製造工程の一例を述べると、食用海苔（１）を、メッシュ状のコンベア等の搬送手段（Ａ）によって搬送し、その搬送途中に、ごま油（２）を含浸させた２個のローラー（Ｂ，Ｂ′）の間を挿通し、さらに、これらローラー間を通過した食用海苔（１）は、次の工程で、醤油の粉末（３）をふりかけられ、その後乾燥させるものである。
【００１９】
また、前記２個のローラー（Ｂ，Ｂ′）の素材は、ウレタン等の軟質の合成樹脂であり、両ローラーには、ごま油（２）が常時含浸するよう構成しており、両ローラー（Ｂ），（Ｂ′）は、海苔が摺接しながら通過するよう調整するよう構成する。
【００２０】
尚、ごま油（２）で被覆され、かつ、該ごま油でコーティングされた醤油の粉末（３）をふりかけられた食用海苔（１）は、乾燥工程を経て完成されるものであるが、その際の乾燥温度は、海苔の厚みや季節によって多少異なる。また、ごま油と粉末醤油との割合も、好みによって、種々異なるものであり、特に、限定はしない。
【産業上の利用可能性】
【００２１】
この考案によると、醤油味つき海苔の製造の技術を確立し、その確立された技術に基づいて、製造・販売することにより、産業上の利用可能性があるものである。
【符号の説明】
【００２２】
１  食用海苔
２，２′ごま油層
３  醤油の粉末
Ａ  搬送手段
Ｂ，Ｂ′ローラー
Ｃ  乾燥手段
Ｘ  むすび
【図１】
0003181618.tif 000003
【図２】
0003181618.tif 000004
【図３】
0003181618.tif 000005
(57)【要約】【課題】夜間や暗所でも容易に化粧直しや身だしなみ確認が出来る軽量、コンパクトでかつ薄型の照明付き携帯二面鏡を提供する。【解決手段】凸面鏡４と有機ＥＬ照明パネル５を折りたたみ式に組み合わせて、昼間や明所では有機ＥＬ照明パネル５を点灯させずに平面鏡とすることにより、凸面鏡４と平面鏡の携帯二面鏡として使用し、夜間や暗所では必要に応じて有機ＥＬ照明パネル５を点灯させることで凸面鏡４に被写体を鮮明に写すことができる。【選択図】図１
0003181614.tif 000002
【実用新案登録請求の範囲】
【請求項１】
有機EL照明パネルと凸面鏡を折りたたみ式に組み合わせたことを特徴とする携帯二面鏡。
【請求項２】
凸面鏡と組み合わせる有機EL照明パネルの発光色が色温度３５００K〜６５００Kの白色かつ高演色性であることを特徴とする請求項１記載の携帯二面鏡。
【考案の詳細な説明】
【技術分野】
【０００１】
本考案は、昼間や明所では凸面鏡と平面鏡の二面鏡として用い、夜間暗い場所では平面鏡を照明パネルに変化させるによって化粧や身だしなみチェックが可能となる携帯用鏡に関するものである。
【背景技術】
【０００２】
従来の照明付き二面鏡は固定式や卓上型が多く、照明付携帯二面鏡は無かった。
【０００３】
また、有機ＥＬ照明パネルは軽量かつ薄型であり携帯性に優れているが、パネル表面が非発光時に鏡面状態であることを積極的に応用した事例は無かった。
【考案の概要】
【考案が解決しようとする課題】
【０００４】
本考案は携帯式で夜間や暗所でも容易に化粧直しや身だしなみ確認が出来る軽量かつ薄型の照明付き二面鏡を提供することを目的とする。
【課題を解決するための手段】
【０００５】
顔全体を写すための凸面鏡と顔の必要箇所を写すための平面鏡を兼用する有機ＥＬ照明パネルを折りたたみ式に組み合わせて二面鏡とした。
【０００６】
夜間または暗所では有機ＥＬ照明パネルを点灯させて凸面鏡に顔全体が写るようにした。パネルの発光色は夜間または暗所でも顔の表情が自然に見える高演色性白色とし、電源にはＵＳＢ入力端子付きの充電池を使用した。
【考案の効果】
【０００７】
本考案の照明付二面鏡は軽量、コンパクトかつ薄型で、昼間や明所では有機ＥＬ照明パネルを点灯させずに平面鏡とすることにより、凸面鏡と平面鏡の携帯二面鏡として使用し、夜間や暗所では必要に応じて有機ＥＬ照明パネルを点灯させることで凸面鏡に被写体を鮮明に写すことができるだけでなく、多目的夜間照明にも用いることができる。
【図面の簡単な説明】
【０００８】
【図１】二面鏡使用状態図
【図２】二面鏡収納状態図
【図３】有機ＥＬ照明パネル部断面図
【考案を実施するための形態】
【０００９】
図面に従って本考案の実施の形態を説明すると、
図１は二面鏡使用状態図で本体１の有機ＥＬ照明パネルケース２と凸面鏡ケース３をヒンジ６をかえして９０度開いた状態である。有機ＥＬ照明パネル４は非点灯時は平面鏡として使用し、夜間または暗部では点灯スイッチ９を押して照明として用いる。照明で顔を照らした部分を凸面鏡５に写し化粧直しや身だしなみチェックを行う。駆動電源としては小型充電地１０を充電池部７に収納し、ＵＳＢ入力端子８により繰り返し充電可能とした。有機ＥＬ照明パネル４には発光色が色温度３５００K〜６５００Kの白色かつ高演色性である有機ＥＬデバイスを採用し、夜間や暗所でも顔の表情が自然に写るようにした。
【００１０】
図２は二面鏡収納状態図で有機ＥＬ照明パネルケース２と凸面鏡ケース３をヒンジ６を介して折りたたみ式としてハンドバックやポケットに収納しやすくした。
【００１１】
図３は有機ＥＬ照明パネル部断面図で有機ＥＬ照明パネルケース２に有機ＥＬ照明パネル４を取付け平面鏡と照明兼用可能とした。有機ＥＬ照明パネルケース２はヒンジ６によって照明部の角度を可変でき照明としての応用が拡大される。
【符号の説明】
【００１２】
１  本体
２  有機ＥＬ照明パネルケース
３  凸面鏡ケース
４  有機ＥＬ照明パネル
５  凸面鏡
６  ヒンジ
７  充電池部
８  ＵＳＢ入力端子
９  点灯スイッチ
１０  充電池
【図１】
0003181614.tif 000003
【図２】
0003181614.tif 000004
【図３】
0003181614.tif 000005
(57)【要約】      （修正有）【課題】自動車の補修用塗装工程の局部乾燥、部品を効率良く乾燥する為に水蒸気の出難い発熱方式による温風乾燥器を提供する。【解決手段】自動車の板金塗装作業に於ける各種乾燥工程に於いて使用される為のＰＴＣサーミスタ素子１を発熱源とし、さらにファンモータ２とイオナイザー及びレーザポインター７をコンパクトに組合せて移動用台車６に搭載している事を特徴とする。【選択図】図１
0003181676.tif 000002
【実用新案登録請求の範囲】
【請求項１】
自動車の板金塗装工程に於ける各種乾燥手段としてＰＴＣサーミスタ素子を発熱源としている温風乾燥器。
【請求項２】
ＰＴＣサーミスタ発熱素子、静電除去機能、送風機能、移動機能を兼ね備えた小型軽量温風乾燥器の構造。
【考案の詳細な説明】
【技術分野】
【０００１】本考案は自動車の板金塗装に係わるもの。
【従来技術】
【０００２】近年自動車の板金塗装に於いて塗料がＶＯＣ（揮発性有機化合物）排出規制を受けて油性塗料から水性塗料に置き換わってきてます。水性塗料も乾燥してしまえば強度や耐久性に関して油性と同等ですが、一番のネックは乾燥するのに時間がかかる事です。
乾燥性能に優れた水性用塗装ブースが導入されてはいるものの、自動車の補修用塗装工程の部分乾燥にはランプ、ジェットヒータが主なものです。
【考案が解決しようとする課題】
【０００３】自動車の補修用塗装工程に於ける乾燥時間（段取り時間含む）の短縮。
【課題を解決するための手段】
【０００４】自動車の補修用塗装工程の局部乾燥、部品を効率良く乾燥する為に水蒸気の出ない小型軽量温風乾燥器を考案した。乾燥器には、発熱、送風、静電気除去機能、乾燥ポイントを可視できるレーザポインタが付属し、簡単に移動できる台車に取付、吹出し角度も自在にしてある。
【考案の効果】
【０００５】ＰＴＣ素子を発熱させそれに送風器で送風することで簡単に温風を作り出せる。構造が極めてシンプルで安価である。特徴は水蒸気が全くでない温風、しかも吹きつけの動圧、温風温度が変えられる事にある。従って段取り時間も含め効率の良い乾燥を実現し、大幅な時間短縮が可能となる。
【考案を実施するための最良の形態】
【０００６】以下、本考案に係わる自動車の補修用塗装乾燥の実施例を図１、図２を用いて説明する。
【実施例】
【０００７】図１は本考案の板金塗装乾燥器の図面であり１はＰＴＣ発熱素子である。３のファンガードより外気が吸い込まれ、１の発熱体の間を通って空気が暖められ２のファンモータにより温風が放出される。温風は４の整流板で整流される。＋イオン、−イオン発生装置５が内蔵されているので静電気を除去しながら乾燥する。６は移動用台車である。【０００８】図２はブース内に於ける実施例であるが、８が本考案の温風乾燥器であり、９が自動車である。
【図面の簡単な説明】
【０００９】
【図１】本考案の温風乾燥器の図面。
【図２】塗装ブースに於ける乾燥実施例。
【符号の説明】
【００１０】１  ＰＴＣサーミスタ発熱素子
２  ファンモータ
３  ファンガード
４  整流板
５  イオン発生器
６  台車
７  レーザポインタ
８  温風乾燥器
９  自動車
【図１】
0003181676.tif 000003
【図２】
0003181676.tif 000004
【手続補正書】
【提出日】平成24年11月22日(2012.11.22)
【手続補正１】
【補正対象書類名】実用新案登録請求の範囲
【補正対象項目名】全文
【補正方法】変更
【補正の内容】
【実用新案登録請求の範囲】
【請求項１】
自動車の板金塗装作業に於ける各種乾燥工程に於いてＰＴＣサーミスタ素子を発熱源としている温風乾燥器。
【請求項２】
ファンモータとイオナイザー及びレーザポインターをコンパクトに組合せて移動用台車に搭載している事を特徴とする請求項１記載の温風乾燥器。
【手続補正３】
【補正対象書類名】明細書
【補正対象項目名】０００４
【補正方法】変更
【補正の内容】
【０００４】自動車の補修用塗装工程の局部乾燥、部品を効率良く乾燥する為に水蒸気の出難い発熱方式による小型温風乾燥器を考案した。乾燥器には、発熱、送風、静電気除去機能、乾燥ポイントを可視できるレーザポインタが付属し、簡単に移動できる台車に取付し、吹出し角度も自在にしてある。
【手続補正４】
【補正対象書類名】明細書
【補正対象項目名】０００５
【補正方法】変更
【補正の内容】
【０００５】ＰＴＣ素子を発熱させ、それに送風器で送風することで簡単に温風を作り出せる。構造が極めてシンプルで安価である。特徴は水蒸気の出難い温風、しかも吹付けの動圧、温風温度が変えられることにある。従って段取り時間も含め効率の良い乾燥を実現し、大幅な乾燥時間短縮が可能となる。
(57)【要約】      （修正有）【課題】釦が上前身頃の状態では釦穴が見えないリバーシブル衣服を提供する。【解決手段】リバーシブル衣服において、上前身頃のみに釦穴をあけ、下前身頃の表裏に釦を付ける。【選択図】図６
0003181680.tif 000002
【実用新案登録請求の範囲】
【請求項１】
釦穴の加工、釦付けをそれぞれ上前身頃、下前身頃に限定して行うため、特に釦穴の加工は一つで済み、加工に要する労力等が減少する簡単スッキリきれいに見えるリバーシブル衣服。
【請求項２】
当初釦をつけた下前身頃が上前身頃となった場合においても、従来のリバーシブル衣服と違い、表から釦穴は視認できない、簡単スッキリきれいに見えるリバーシブル衣服。
【考案の詳細な説明】
【技術分野】
【０００１】  本考案は、リバーシブル衣服の釦穴、釦をそれぞれ上前身頃、下前身頃のみに設けて、簡単スッキリきれいに見えるリバーシブル衣服を実現した。
【背景技術】
【０００２】  従来の主なリバーシブル衣服は釦穴が上前身頃、下前身頃両方に開いていた。この事でリバーシブルでない衣服と同等の釦穴の操作方法を実現していた。【０００３】  しかしながら従来のリバーシブル衣服は、上前見頃の部分の釦穴が常に視認され、かつ同じ位置の釦に対して、常に二つ釦穴を作らなければならなかった。
【考案の概要】
【考案が解決しようとする課題】
【０００４】  本考案は、以上のような従来の欠点に鑑み、リバーシブル衣服の上前身頃の部分の釦穴が視認されず、かつ同じ位置の釦に対して、一つの釦穴で簡単スッキリきれいに見えるリバーシブル衣服を提供することを目的としている。
【課題を解決するための手段】
【０００５】  本考案の技術的課題は次のような手段により解決される。請求項１は、上前身頃のみに釦穴をあけ、下前身頃の表裏に釦を付ける。その際に釦付けが簡易になるよう釦付け位置をずらしたり、下前身頃の表裏同一位置となるように釦付けをしてもよい。【０００６】  請求項２は釦付けをした部分が上前身頃となった場合において、請求項１において記載した表裏に付けた釦のうち、裏側となった釦を下前身頃となった釦穴に上から装着する。これにより表の釦が飾りボタン、裏の釦が釦穴への装着釦となる。
【考案の効果】
【０００７】  以上の説明から明らかなように、本考案にあっては次に列挙する効果が得られる。
請求項１のとおり、釦穴の加工、釦付けをそれぞれ上前身頃、下前身頃に限定して行うため、特に釦穴の加工は一つで済み、加工に要する労力等が減少する。【０００８】  請求項２のとおり、当初釦をつけた下前身頃が上前身頃となった場合においても、従来のリバーシブル衣服と違い表から釦穴は視認できない簡単スッキリきれいに見えるリバーシブル衣服となる。
【図面の簡単な説明】
【０００９】
【図１】本考案におけるリバーシブル衣服において、釦穴が上前身頃になった状態の正面図。
【図２】本考案におけるリバーシブル衣服において、釦が上前身頃になった状態の正面図。
【図３】図１において、下前身頃の釦を上前身頃の釦穴に装着する様子を示した状態の正面図。
【図４】図２において、上前身頃の釦を下前身頃の釦穴に装着する様子を示した状態の正面図。
【図５】図３において、下前身頃の釦を上前身頃の釦穴に装着後を示した状態の正面図。
【図６】図４において、上前身頃の釦を下前身頃の釦穴に装着後を示した状態の正面図。
【図１】
0003181680.tif 000003
【図２】
0003181680.tif 000004
【図３】
0003181680.tif 000005
【図４】
0003181680.tif 000006
【図５】
0003181680.tif 000007
【図６】
0003181680.tif 000008
【手続補正書】
【提出日】平成24年11月26日(2012.11.26)
【手続補正１】
【補正対象書類名】実用新案登録請求の範囲
【補正対象項目名】全文
【補正方法】変更
【補正の内容】
【実用新案登録請求の範囲】
【請求項１】
上前身頃のみに釦穴をあけ、下前身頃の表裏に釦を付けたことを特徴とするリバーシブル衣服。
【請求項２】
釦付けをした部分が上前身頃となった場合において、表裏に付けた釦のうち、裏側となった釦を下前身頃となった釦穴に上から装着することを特徴とする請求項１記載のリバーシブル衣服。
(57)【要約】      （修正有）【課題】店舗等に於いて、多用されている商品搬送用のカート籠の横面を開閉出来る様にする事で高齢者、妊婦、虚弱体質者、病後快愈途上の者、小児、児童等々非力な人々が重量物を積み下ろす際の苦痛から解放されるようにしたカートを提供する。【解決手段】カートに荷物を積み降ろしする際、荷物を持ち上げてカートの縁や上端部から取り出したり、取り込んだりする必要がない様に、カート籠の横面に開閉装置を設置する。【選択図】図２
0003181675.tif 000002
【実用新案登録請求の範囲】
【請求項１】
店舗用カート籠の横開き仕様
【考案の詳細な説明】
【技術分野】
【０００１】金物等の物作り分野
【背景技術】
【０００２】金物等物作り分野の加工技術
【先行技術文献】
【特許文献】
【０００３】
【特許文献１】
【特許文献２】
【非特許文献】
【０００４】
【非特許文献１】
【非特許文献２】
【考案の概要】
店舗等に於いて多用されている。買い物用のカート籠は、高齢者、妊婦、虚弱体質者、怪我等から完治前に在る者、小中学生等々非力な人々が重量物、例へばジュース、ビール、牛乳其の他の水物等を購入し、此れを積み降ろしする際、カートの縁、上端部から取りだすのに苦労している様子を度々目にしたので、此れは改善の余地があると本案を考案した。
【考案が解決しようとする課題】店舗等に於いて多用されているカート籠の縁が高く重量物の積み降ろしに難渋している人々の救援
【課題を解決するための手段】カート籠の両端下部に開閉装置を組み込む
【考案の効果】高齢者、妊婦、虚弱体質者、病後快愈途上にある者、小児、児童等非力な人々が重量物を積み降ろしする際の苦労を軽減出来る。
【図面の簡単な説明】買い出し用に使用されている現在のカートの形状、  考案によるカート籠の形状
【図１】
【図２】
【考案を実施するための形態】
カート籠下部に開閉装置を組み込む
【実施例】例を目にした事は無い
【産業上の利用可能性】物作り業界其の他の金属加工業界に於いて新案を組み込んだカートが生産され、此れを採用した販売業界からの新規購入、現在使用中の中古品、故障品との取り換え等々産業上に於いて多大な利用の可能性が有るものと思はれる。
【符号の説明】
【図１】
0003181675.tif 000003
【図２】
0003181675.tif 000004
【手続補正書】
【提出日】平成24年11月6日(2012.11.6)
【手続補正１】
【補正対象書類名】実用新案登録請求の範囲
【補正対象項目名】全文
【補正方法】変更
【補正の内容】
【実用新案登録請求の範囲】
【請求項１】
カート籠の横面に開閉装置を設置したことを特徴とするカート
【手続補正２】
【補正対象書類名】明細書
【補正対象項目名】全文
【補正方法】変更
【補正の内容】
【考案の詳細な説明】
【技術分野】
【０００１】特許電子図書館  金属加工技術
金物を加工した物作りの分野  金属加工業分野
【背景技術】
【０００２】特許電子図書館  金属加工技術
金物を加工した物作りの分野、金属加工技術
【先行技術文献】
【特許文献】
【０００３】
【特許文献１】特許電子図書館  金属加工技術
【特許文献２】特許電子図書館  金属加工技術
【非特許文献】
【０００４】
【非特許文献１】特許電子図書館  金属加工技術非特許文献１
【非特許文献２】特許電子図書館  金属加工技術非特許文献２
【考案の概要】
店舗等に於いて多用されている。買い物用のカート籠は、高齢者、妊婦、虚弱体質者、怪我等から完治途上に在る者、小中学生等々非力な人々が重量物、例へば、ジュース、ビール、牛乳其の他の水溶物等を購入し、此れを積み降ろしする際、カートの上端部から取り出すのに苦労している様子を度々目にしたので、此れは改善の余地があると本案を考案した。
【考案が解決しようとする課題】店舗等に於いて多用されている。カート籠の上端部が高く、重量物の積み降ろしに難渋している人々の救援
【課題を解決するための手段】カート籠の両端と下部に開閉装置を組み込む
【考案の効果】高齢者、妊婦、虚弱体質者、病後快愈途上にある者、小児、児童等非力な人々が重量物を積み降ろしする際の労苦を軽減出来る。
【図面の簡単な説明】現在のカートの形状、  考案によるカート籠の形状
【図１】現在店舗に於いて使用されているカート籠の形状
【図２】考案による形状
【考案を実施するための形態】
カート籠の横面に開閉装置を組み込む
【実施例】例を目にした事は無い
【産業上の利用可能性】物作り業界、金属加工業界に於いて新案を組み込んだカートが生産され、此れを採用した販売業界からの新規購入、現在使用中の中古品、故障品との取り換え等々産業上に於いて多大な利用の可能性が有るものと思はれる。
【符号の説明】省略
【配列表フリーテキスト】省略
【配列表】省略
(57)【要約】      （修正有）【課題】工事現場やイベントなどで車や歩行者に向けてより設置しやすく簡単で目立つ看板を提供する。【解決手段】ターポリン素材を袋状に加工してグラスファーバーを通すことで形状を保ち、表示用シートを貼って、転倒防止のための袋状に閉じた部分に風抜きのスリットを設ける。【選択図】図１
0003181672.tif 000002
【実用新案登録請求の範囲】
【請求項１】
下地素材をターポリンとする
【請求項２】
下地素材を袋状に加工する
【請求項３】
自立のためにグラスファイバー素材のポールを使用する
【請求項４】
転倒防止のために風抜き加工を施す
【請求項５】
表示面に出力シート（反射・無反射共に）を使用する
【請求項６】
片面・両面表示にする
【考案の詳細な説明】
【技術分野】
【背景技術】
【先行技術文献】
（株）ゼストシステムのＺ−１６カタログ  Ｐ６５
【特許文献】
【特許文献】なし
【非特許文献】
【非特許文献】なし
【考案の概要】
工事現場などで使われているカラーコーンに被せて使うミドルサイズのサイン
【考案が解決しようとする課題】工事現場やイベントなどで車や歩行者に向けた看板をより設置しやすく簡単で目立つようにした
【課題を解決するための手段】以前は脚付きの立て看板を設置し重石や杭などで固定していた。また、先行技術に挙げた商品では表示面が小さすぎ満足な案内ができなかった。そこで交通規制によく使われるカラーコーンに被せて使えるミドルサイズの本商品を使うことにより設置の不便さ、表示の見難さを解決した
【考案の効果】立て看板設置の煩わしさも無くなり更に現場に在るものに被せるだけなので使い勝手が良くなる。また、先行技術の商品に比べ表示面が約３．５倍になり格段に見やすくなる
【図面の簡単な説明】
【図１】シャトルコーンを示した平面図である
【図２】シャトルコーンを示した断面図である
【考案を実施するための形態】
一般的なカラーコーンに被せるだけで使用出来る
【実施例】・・・工事
【産業上の利用可能性】工事現場・イベント案内などに使用
【符号の説明】
0003181672.tif 000003
【手続補正書】
【提出日】平成24年11月22日(2012.11.22)
【手続補正１】
【補正対象書類名】実用新案登録請求の範囲
【補正対象項目名】全文
【補正方法】変更
【補正の内容】
【実用新案登録請求の範囲】
【請求項１】
ターポリン素材を袋状に加工してグラスファーバーを通すことで形状を保ち、表示用シートを貼って、袋状の閉じた部分に風抜きのスリットを設けた看板。
【手続補正２】
【補正対象書類名】明細書
【補正対象項目名】全文
【補正方法】変更
【補正の内容】
【考案の詳細な説明】
【先行技術文献】
【非特許文献】
【非特許文献】（株）ゼストシステムのＺ−１６カタログ  Ｐ６５
【考案の概要】
工事現場などで使われているパイロンに被せて使うミドルサイズのサイン
【考案が解決しようとする課題】工事現場やイベントなどで車や歩行者に向けた看板をより設置しやすく簡単で目立つようにした
【課題を解決するための手段】以前は脚付きの立て看板を設置し重石や杭などで固定していた。また、先行技術に挙げた商品では表示面が小さすぎ満足な案内ができなかった。そこで交通規制によく使われるパイロンに被せて使えるミドルサイズの本商品を使うことにより設置の不便さ、表示の見難さを解決した
【考案の効果】立て看板設置の煩わしさも無くなり更に現場に在るものに被せるだけなので使い勝手が良くなる。また、先行技術の商品に比べ表示面が約３．５倍になり格段に見やすくなる
【図面の簡単な説明】
【図１】看板を示した平面図である
【図２】看板を示した断面図である
【考案を実施するための形態】
一般的なパイロンに被せるだけで使用出来る
【実施例】・・・工事
【産業上の利用可能性】工事現場・イベント案内などに使用
【手続補正３】
【補正対象書類名】図面
【補正対象項目名】全図
【補正方法】変更
【補正の内容】
【図１】
0003181672.tif 000004
【図２】
0003181672.tif 000005
(57)【要約】      （修正有）【課題】河川で増水、減水した時でも発電する事が出来、又設置可能場所の選択の巾が広がる発電機を提供する。【解決手段】タンク１の中に発電機、その外側に回転羽根付きリング２を取り付け、リングに羽根止め具４を付けて羽根の角度を変化させる事により最良の水力を得られる様に構成する。タンク１を浮かす事により発電機全体が上下に動き、最良の水力を得ることが出来る様になる。【選択図】図１
0003181678.tif 000002
【実用新案登録請求の範囲】
【請求項１】
タンクの中に発電機そのタンクを浮かす事を特徴とする発電機。
【請求項２】
回転羽根付きリングに羽根止め具を付けて羽根の角度が変化することを特徴とする発電機。
【考案の詳細な説明】
【考案の概要】
【考案が解決しようとする課題】
【０００１】  水上において発電機、回転羽根一体型発電機である。
【課題を解決するための手段】
【０００２】  タンクの中に発電機、その外側に回転羽根付きリングを取り付ける、発電機全体を浮かせる。
【考案の効果】
【０００３】  河川で増水、減水した時でも発電する事が出来る、又設置場所を多く出来る発電機である。
【考案を実施するための形態】
【０００４】  以下、本案の実施例について説明する、図１に基ずいてタンクの中に発電機その外側に回転羽根付きリングを取り付け、リングに羽根止め具を付けて羽根の角度が変化する事により最良の水力を得る。浮かす事により発電機全体が上下に動く事により最良の水力を得る。
【図面の簡単な説明】
【０００５】
【図１】  発電機の側面図
【図２】  発電機の正面図
【符号の説明】
【０００６】１  タンク    ２  回転羽根付きリング    ３  上下すべり台座
４  羽根止め具    ５リングの水力を伝えるシャフト    ６  電線
【図１】
0003181678.tif 000003
【図２】
0003181678.tif 000004
【手続補正書】
【提出日】平成24年11月22日(2012.11.22)
【手続補正１】
【補正対象書類名】実用新案登録請求の範囲
【補正対象項目名】全文
【補正方法】変更
【補正の内容】
【実用新案登録請求の範囲】
【請求項１】
タンクの中に発電機を設けた事を特徴とする水上発電機。
【請求項２】
前紀、タンクの周囲に回転羽根付きリングを設け、前記、回転羽根付きリングは羽根の角度を変化させる羽根止め具を有する事を特徴とする、請求項１、記載の水上発電機。
(57)【要約】      （修正有）【課題】繰り返し使用できる消臭・制菌・吸水・乾燥ライナーを提供する。【解決手段】洗った後、乾けば粘着力を復活させるテープをライナーに取り付ける。【選択図】図１
0003181507.tif 000002
【実用新案登録請求の範囲】
【請求項１】
洗った後、乾けば粘着力が復活するテープを用いて、襟部、脇部、またはヘルメット、帽子の額部に使い捨てではなく繰返し使用できることを特徴とする消臭・制菌・吸水・速乾ライナー
【考案の詳細な説明】
【技術分野】
【０００１】本考案は、洗った後、乾けばテープの粘着力が復活するテ−プを用いて消臭・制菌・吸水・速乾ライナーをワイシャツ・ブラウスの襟部へ着用する。洗った後も繰返し使用できる消臭・制菌・吸水・速乾ライナーに関するものである。
【背景技術】
【０００２】一般に夏期、汗をかいた後、最も気になる部分が襟部・脇部・ヘルメット・帽子の額部である。ワイシャツ・ブラウスの襟部・脇部・ヘルメット・帽子の額部は汗の匂いと汗による菌が増殖、快適生活の妨げとなっており、消臭・制菌・吸水・速乾の効果を持つライナーを用いて、使い捨て、もしくは使い捨てでない場合は洗う毎に両面テープを貼りけることで対応していた。しかし、使い捨ては、消費者コストが負担となり、両面テープを貼り替える場合は、繰返し使用する際に不便であった。一般ユーザーは、使い捨てでなく、洗った後、両面テープを貼り替えることなく使用できる消臭・制菌・吸水・速乾ライナーを望んでいる。
【考案の概要】
【考案が解決しようとする課題】
【０００３】上記問題を解決するライナーを提供する事である。
【課題を解決するための手段】
【０００４】洗った後、乾けば粘着力を復活させるテープを使用した消臭・制菌・吸水・速乾ライナーを考案することである。
【考案の効果】
【０００５】本考案によって課題を十分に解決している。洗った後もテープ表面が乾けば繰り返し使用できるので、消費者コストを低く抑え、便利である。
【図面の簡単な説明】
【０００６】
【図１】襟部用・消臭・制菌・吸水・速乾ライナー本体を示した正面図である。（イ）襟部用・消臭・制菌・吸水・速乾ライナー本体の斜視図である。
【図２】ワイシャツへ襟部用・消臭・制菌・吸水・速乾ライナー本体を装着した正面図である。
【図３】脇部用・消臭・制菌・吸水・速乾ライナー本体を示した正面図である。（ロ）脇部用・消臭・制菌・吸水・速乾ライナー本体の斜視図である。
【図４】ワイシャツへ脇部用・消臭・制菌・吸水・速乾ライナー本体を装着した正面図である。
【考案を実施するための形態】
【０００７】洗った後、乾けばテープ表面の接着力が復活するテ−プを消臭・制菌・吸水・速乾効果を持つライナーへ固定させる。
【実施例】
【０００８】図１の１はライナー本体の形状を示す正面図である。図１の５はライナー本体に粘着された両面テープである。表面は、洗って乾けば粘着力が復活する。
図２は、ワイシャツＡの襟部３にライナー本体１を装着した正面図である。
図３は、脇部用ライナー２と洗って乾けば復活するテープ６である。図４は、脇部４へ脇用ライナー２を装着した正面図である。
【産業上の利用可能性】
【０００９】襟部、脇部、ヘルメット・帽子の額部は汗による臭いと不衛生な為、悩む人は多い。消臭・制菌・吸水・速乾効果を持つライナーによる対応でも使い捨ての場合は消費者コストが高くなり現実的に使用されない。洗って繰返し使用できるライナーの場合、その都度テープの貼り付けが不便である。テープの貼り替える必要なく、繰返し使用できる消臭・制菌・吸水・速乾ライナーは一般ユーザーにとって喜ばれ、実用的である。
【符号の説明】
【００１０】１襟部用・消臭・制菌・吸水・速乾ライナー体
２脇部用・消臭・制菌・吸水・速乾ライナー体
３襟部
４脇部
５洗った後、乾けば粘着力が復活するテープ
６洗った後、乾けば粘着力が復活するテープ
Ａワイシャツ
【図１】
0003181507.tif 000003
【図２】
0003181507.tif 000004
【図３】
0003181507.tif 000005
【図４】
0003181507.tif 000006
【手続補正書】
【提出日】平成24年11月13日(2012.11.13)
【手続補正１】
【補正対象書類名】実用新案登録請求の範囲
【補正対象項目名】全文
【補正方法】変更
【補正の内容】
【実用新案登録請求の範囲】
【請求項１】
洗った後、乾けば粘着力が復活するテープを取り付けたことを特徴とするライナー
(57)【要約】      （修正有）【課題】従来の吸引機器の機能が低く活用するのに制限があった欠点を除いて、緊急時や移動時に活用できるようにした携帯型吸引機器を提供する。【解決手段】電源ＳＷ（１）を操作して、太陽電池（２）及び電源（３）から供給した電力で、本体（４）に内蔵したモータ（５）を駆動して制御する。吸引ボックス（６）を装着し、ボリューム（１０）を調整して、メーター（１１）を基準値に合わせる。吸引としては、吸引カテーテル（１２）を使用し、メンテナンスは、ボックスフタ（１４）を取り外し掃除をする。不純物を防止する為、空ボックス（１５）を設けて誤動作を防ぐ。【選択図】図１
0003181501.tif 000002
【実用新案登録請求の範囲】
【請求項１】
太陽電池装置を設けた携帯型吸引機器
【考案の詳細な説明】
【考案の詳細な説明】
【技術分野】
【０００１】  医療機器分野
【背景技術】
【０００２】  従来、電源コンセント及びバッテリー駆動の吸引機器はあったが、医療機器としての機能が低く、活用するのに制限があった。
【考案の開示】
【考案が解決しようとする課題】
【０００３】  本案は、その欠点を除いて、しかも機能を活かした吸引機器を開発しようとするものである。
【課題を解決するための手段】
【０００４】  いまその解決手段を図面を追いながら説明すれば
（イ）  電源ＳＷ（１）を操作して、太陽電池（２）及び電源（３）から供給した電力で、本体（４）に内蔵したモータ（５）を駆動して制御する。
（ロ）  吸引ボックス（６）に水（７）を目盛（８）に合わせて入れ、ボックス固定（９）に装置する。また吸引ボリューム（１０）を調整して、メーター（１１）を基準値に合わせる。
（ハ）  吸引としては、吸引カテーテル（１２）をホース（１３）に装置して使用する。メンテナンスは、ボックスフタ（１４）を取り外し掃除をする。不純物を防止する為、空ボックス（１５）を設けて誤動作を防ぐ。
【考案の効果】
【０００５】  本案は、以上のような構造であるから、これを使用する事により、緊急時や移動時に活用できる吸引機器である。
【考案を実施するための最良の形態】
【実施例】
【０００６】  なお、本案の実施にあたって次の如きことができる。
（イ）  太陽電池（２）を含む電源機能を本体（４）から切り離し、交換する事により緊急時や移動時に連続使用する事ができる。
【図面の簡単な説明】
【０００７】
【図１】  本考案の吸引機器の正面図
【符号の説明】
【０００８】（１）電源ＳＷ  （２）太陽電池  （３）電源  （４）本体
（５）モータ  （６）吸引ボックス  （７）水  （８）目盛
（９）ボックス固定  （１０）吸引ボリューム  （１１）メーター
（１２）吸引カテーテル  （１３）ホース  （１４）ボックスフタ  （１５）空ボックス
【図１】
0003181501.tif 000003
【手続補正書】
【提出日】平成24年10月26日(2012.10.26)
【手続補正１】
【補正対象書類名】実用新案登録請求の範囲
【補正対象項目名】全文
【補正方法】変更
【補正の内容】
【実用新案登録請求の範囲】
【請求項１】
太陽電池及び電源を備え、太陽電池及び電源から供給した電力により、本体に内蔵されたモータを駆動制御することを特徴とする携帯型吸引機器
(57)【要約】      （修正有）【課題】大地震による広範囲な停電はもとより、落雷などによる一定地域の停電でも、稼動させ得るポンプ装置システムを提供する。【解決手段】建築物において消防用設備及び／または給水に用いるためのポンプ装置システムにおいて、バッテリーを電源として備える。【選択図】図１
0003181504.tif 000002
【実用新案登録請求の範囲】
【請求項１】
建築物において消防用設備及び／または給水に用いるためのポンプ装置システムにおいて、バッテリーを電源として備えたことを特徴とするポンプ装置システム。
【請求項２】
ポンプ装置が動力電源で駆動するものであり、バッテリーが三相交流を供給する鉛蓄電池である請求項１に記載のポンプ装置システム。
【請求項３】
消防用設備が屋内消火栓設備、スプリンクラー設備、 水噴霧消火設備、屋外消火栓設備、動力消防ポンプ設備から選択される設備である請求項１または２に記載のポンプ装置システム。
【請求項４】
さらに緊急時の切替装置を備えた請求項１〜請求項３のいずれかに記載のポンプ装置システム。
【考案の詳細な説明】
【技術分野】
【０００１】
本考案はビルなどの建築物において、地震などの非常時に対応可能なポンプ装置システムに関する。
【背景技術】
【０００２】
一般にビルなどの建築物にはその用途・規模・構造等に応じ、屋内消火栓、スプリンクラーなどの消防用設備の設置が消防法によって義務付けられている。これらの消防用設備は停電時においても稼動が求められるため、消防法では、所定の建築物には非常電源の設置も義務付けている。消防法におけるこの非常電源には、非常電源専用受電設備、自家発電設備及び蓄電池設備がある。
【０００３】
しかし、自家発電設備や蓄電池設備を非常電源として利用する場合、機器本体の設置コスト、設置スペースの確保、燃料の確保と維持などが必要になるため、一般的には、イニシャルコストとランニングコストの増大につながる。このため、受電設備を非常電源専用受電設備の基準に適合させることで、消防設備の非常電源として使用しているケースが多いのが実情である。
【０００４】
例えば、キュービクル式非常電源専用受電設備は、高圧で受電し、非常電源回路及び高圧の受電設備として使用する機器一式を金属箱に収納したもので、共用キュービクル式(非常電源と常用電源を共用)と専用キュービクル式(非常電源専用)がある。この他、低圧で受電する非常電源専用受電設備(配電盤・受電盤)も用いられており、これは低圧で受電し、開閉器、過電流保護器、計器その他の配線用機器等を金属箱 (キャビネット)に収納したもので、共用(非常電源と一般電源を共用)と専用(非常電源専用)がある。
【考案の概要】
【考案が解決しようとする課題】
【０００５】
しかし、専用受電設備は、電力会社の電源供給を前提にしているため、地震などによって電力会社自体の電源供給が途絶えて停電が発生した場合、消防用設備に電源を供給できないという大きな問題があった。
【０００６】
従って、今後、発生が予想される大地震による広範囲な停電はもとより、落雷などによる一定地域の停電でも、消防用設備を稼動させ得る電源が求められている。
【課題を解決するための手段】
【０００７】
この目的を達成するため、本考案は、ポンプにバッテリーを装着することによって稼動し得るようにした以下のポンプ装置システムを提供する。
［１］建築物において消防用設備及び／または給水に用いるためのポンプ装置システムにおいて、バッテリーを電源として備えたことを特徴とするポンプ装置システム。
［２］ポンプ装置が動力電源で駆動するものであり、バッテリーが三相交流を供給する鉛蓄電池である［１］に記載のポンプ装置システム。
［３］消防用設備が屋内消火栓設備、スプリンクラー設備、水噴霧消火設備、屋外消火栓設備、動力消防ポンプ設備から選択される設備である［１］または［２］に記載のポンプ装置システム。
［４］さらに緊急時の切替装置を備えた［１］〜［３］のいずれかに記載のポンプ装置システム。
【考案の効果】
【０００８】
本考案によれば、電力会社からの給電が途絶した状態でも非常用電源が稼動するため、大地震や大規模な火災等の緊急事態でも消防用設備が稼動する。また、生活用水の確保も可能である。
【図面の簡単な説明】
【０００９】
【図１】本考案の１実施例を示す配線図
【図２】本考案の他の実施例を示す配線図
【考案を実施するための形態】
【００１０】
本考案において「建築物」としては消防法により非常用電源の設置が義務付けられている建築物を含み、その用途は、住宅、事務所、学校、病院、工場、事業場、興業場、百貨店、旅館、飲食店等を含む。
【００１１】
また、消防用設備は屋内消火栓設備、スプリンクラー設備、 水噴霧消火設備、屋外消火栓設備、動力消防ポンプ設備の一以上を含むが、必ずしも消防法上の消火設備に限定されず、それに付随する設備でもよい。
【００１２】
また、給水に用いるためのポンプ装置には、一般に非常用電源の設置が義務付けられていない飲料水・生活用を貯水槽に汲み上げるためのポンプ装置が含まれる。
【００１３】
一般に、これらのポンプ装置は、通常は動力電源（三相交流）で作動するため、非常時においては、直流のバッテリーでは対応ができない。本発明のバッテリーは三相交流を出力する電源である。
【００１４】
出力電圧は一般的には２００Vであるが、適用するポンプ装置に応じて変更してもよい。このようなバッテリーの基本構成としては、鉛蓄電池が好ましい。鉛蓄電池を用いることにより、リチウム蓄電池のような発火・発煙・爆発の危険のない安定した運用が可能である。このような鉛蓄電池の例としては株式会社ディーグラットから発売されているＥｌｅ−Ｂｏｘシリーズが挙げられる。もっとも、このような鉛蓄電池は同様の機能を果たすものであれば他のものも利用できる。
【００１５】
図１は、消火ポンプに接続する場合の配線図の一例であり、図２は給水ポンプに接続する場合の配線図の一例である。
【図１】
0003181504.tif 000003
【図２】
0003181504.tif 000004
【手続補正書】
【提出日】平成24年11月30日(2012.11.30)
【手続補正１】
【補正対象書類名】実用新案登録請求の範囲
【補正対象項目名】請求項４
【補正方法】変更
【補正の内容】
【請求項４】
さらに、通常電源が停止した緊急時に、電源を通常電源からバッテリーに切り替える緊急時の切替装置を備えた請求項１〜請求項３のいずれかに記載のポンプ装置システム。
(57)【要約】      （修正有）【課題】金属のプレス加工の材料に加工油を付ける作業の際、加工油の容器に入れたブラシに加工油が必要な量だけ自動的に付く様、ブラシを乗せて加工油に浮かべられたブラシシートを提供する。【解決手段】ゴムスポンジで、加工油容器の大きさに合わせて、ブラシを乗せて浮かべる厚さの、穴或いは隙間を持つブラシシートを造り、加工油に入れておく。ブラシがブラシシートに乗っていて、表面上に置かれ、ブラシシートに染み込んだ加工油が必要な量だけブラシに付く。【選択図】図１
0003181503.tif 000002
【実用新案登録請求の範囲】
【請求項１】
穴或いは隙間を持っていることと、
アルキメデスの原理により加工油の表面上に浮かべ、上に置かれたブラシがいつも加工油の表面近くに静止できることを特徴とするブラシシート。
【請求項２】
加工油容器の底面の形で、１周だけ切ることにより、請求項１に記載のブラシシートが造られることを特徴とする板。
【考案の詳細な説明】
【技術分野】
【０００１】本考案は金属加工に関するものである。
【考案の概要】
【考案が解決しようとする課題】
【０００２】金属部品のプレス加工では、材料と金型の接触する部分に加工油を付けるという関連作業をよくする。この時、加工油を入れた容器とブラシを用意しておく。作業は普通、次の二通りの手順である。１．ブラシを加工油の外に置く場合：１．１、ブラシを取る。１．２、加工油を必要な量だけ付ける。１．３、必要な部分まで移動し加工油を付ける。１．４、ブラシを戻すということになる。２．ブラシを加工油の中に置く場合：２．１、ブラシを取る。２．２、余計の加工油を落とす。２．３、必要な部分まで移動し加工油を付ける。２．４、ブラシを戻すということになる。この関連作業は生産性を落とす、作業台を汚す、生産コストを上げる原因になる。【０００３】余計な加工油が移動中にブラシから作業台の上に垂れるということがあって、作業手順１．２、２．２は、どちらも丁寧な扱いが必要である。【０００４】更に容器に残る加工油の量が少なくなると二通りの手順が時々交代することになる。
作業者の注意力が奪われる。
【課題を解決するための手段】
【０００５】この考案は［０００２］に述べた作業手順１．２、２．２を省くことを目的とする。【０００６】ゴムスポンジで、加工油容器の大きさに合わせて、ブラシを乗せて浮かべる厚さの、穴或いは隙間を持つブラシシートを造り、加工油に入れておく（図１）。ブラシがブラシシートの上に乗っていて、加工油の中ではなく、外でもなく、表面上に置かれる。
【考案の効果】
【０００７】ブラシがブラシシートに乗っていて、加工油が必要な量だけ自動で付いてくれるから作業手順１．２、２．２が省けることができる。生産性が上がる。【０００８】ブラシに加工油が必要な量だけ付くから、ブラシの移動中に加工油が垂れるという心配はなくなる。加工油が節約できる上、作業台を綺麗にすることが簡単になる。【０００９】容器に残る加工油の量が減ると、ブラシシートが下がり、ブラシがいつも加工油の表面上に置かれるので同じ作業手順で作業ができるようになる。作業者は加工作業にもっと集中できる。
【考案を実施するための形態】
【００１０】ブラシシートの材料としては軽くて、加工油に溶けない発泡ポリエチレン、ゴムスポンジ、発泡スチロール、ＥＶＡ樹脂などを使用する。
【００１１】ブラシシートの形は、ブラシと容器に応じて図２に示しているようにする。ブラシシートの大きさは、加工油容器の底面より少し小さくし、厚さは、使用するブラシの質量を５０ｇ程度とするとき、５〜１０ｍｍとする。図２（ａ），（ｂ），（ｃ），（ｄ）は円柱形容器に、図２（ｅ），（ｆ）は四角形容器に使用するブラシシートの例である。ブラシシートには、その上に置かれたブラシに加工油を補給するための穴或いは隙間を開ける。
【００１２】実際に使われている加工油容器は、色々な形があって、大きさも普通直径１５０ｍｍほどであるが、色々ある。但し、図３（ａ），（ｂ）に示したように、均一に分布する穴或いは隙間を開けた、縦と横は共に５００ｍｍ程度の四角形板を造って、色々な加工油容器に応じたブラシシートを切り取ることができる。
【図面の簡単な説明】
【００１３】
【図１】ブラシとブラシシートの停止位置を示す図である。
【図２】ブラシシートの例を示す図である。
【図３】１周切るだけでブラシシートが造られる板の例を示す図である。
【図１】
0003181503.tif 000003
【図２】
0003181503.tif 000004
【図３】
0003181503.tif 000005
【手続補正書】
【提出日】平成24年11月5日(2012.11.5)
【手続補正１】
【補正対象書類名】実用新案登録請求の範囲
【補正対象項目名】全文
【補正方法】変更
【補正の内容】
【実用新案登録請求の範囲】
【請求項１】
発泡ポリエチレン、発泡スチロールなどの軽くて、加工油に溶けない材料を使用することと、
穴或いは隙間を持っていること
を特徴とする円盤或いは四角形に造られたブラシシート。
【請求項２】
発泡ポリエチレン、発泡スチロールなどの軽くて、加工油に溶けない材料を使用することと、
穴或いは隙間を持っていることと、
加工油容器の底面の形で、１周だけ切ることにより、請求項１に記載のブラシシートを造ることができること
を特徴とする板。